(57)【特許請求の範囲】
【請求項１】
操作棒の軸方向への押し引き操作により所定の移動レンズを電動により駆動し、前記操作棒の押し引き位置に対応する位置に前記移動レンズを移動させるレンズ制御システムであって、前記移動レンズを駆動する操作として前記操作棒の押し引き操作を有効又は無効に切り替えることができるレンズ制御システムにおいて、
前記操作棒を軸方向に移動させる動力を発生させる動力発生手段と、
前記操作棒の押し引き操作が有効から無効に切り替えられた際に、前記動力発生手段により前記操作棒を所定の退避位置に移動させる制御手段と、
を備えたことを特徴とするレンズ制御システム。
【請求項２】
操作棒の軸方向への押し引き操作により所定の移動レンズを電動により駆動し、前記操作棒の押し引き位置に対応する位置に前記移動レンズを移動させるレンズ制御システムであって、前記移動レンズを駆動する操作として前記操作棒の押し引き操作を有効又は無効に切り替えることができるレンズ制御システムにおいて、
前記移動レンズの位置を検出する移動レンズ位置検出手段と、
前記操作棒の押し引き位置を検出する操作位置検出手段と、
前記操作棒を軸方向に移動させる動力を発生させる動力発生手段と、
前記操作棒の押し引き操作が無効から有効に切り替えられた際に、前記操作位置検出手段により検出される前記操作棒の押し引き位置が前記移動レンズ位置検出手段により検出される前記移動レンズの位置に対応する位置となるように、前記動力発生手段により前記操作棒を移動させる制御手段と、
を備えたことを特徴とするレンズ制御システム。
【請求項３】
操作棒の軸方向への押し引き操作により所定の移動レンズを電動により駆動し、前記操作棒の押し引き位置に対応する位置に前記移動レンズを移動させるレンズ制御システムであって、前記移動レンズを駆動する操作として前記操作棒の押し引き操作を有効又は無効に切り替えることができるレンズ制御システムにおいて、
前記移動レンズの位置を検出する移動レンズ位置検出手段と、
前記操作棒の押し引き位置を検出する操作位置検出手段と、
前記操作棒を軸方向に移動させる動力を発生させる動力発生手段と、
前記操作棒の押し引き操作が有効から無効に切り替えられた際には、前記動力発生手段により前記操作棒を所定の退避位置に移動させ、前記操作棒の押し引き操作が無効から有効に切り替えられた際には、前記操作位置検出手段により検出される前記操作棒の押し引き位置が前記移動レンズ位置検出手段により検出される前記移動レンズの位置に対応する位置となるように、前記動力発生手段により前記操作棒を移動させる制御手段と、
を備えたことを特徴とするレンズ制御システム。
【請求項４】
前記移動レンズはズームレンズであることを特徴とする請求項１乃至３のうちいずれか１のレンズ制御システム。
【請求項５】
前記動力発生手段は、モータを動力発生源とすることを特徴とする請求項１乃至４のうちいずれか１のレンズ制御システム。
【請求項６】
前記レンズ制御システムは、同時に接続された複数のレンズ操作装置のうち、前記操作棒を有するレンズ操作装置以外のレンズ操作装置の操作を有効にすると、前記操作棒を有するレンズ操作装置の操作を無効にし、前記操作棒を有するレンズ操作装置の操作を有効にすると前記操作棒を有するレンズ操作装置以外のレンズ操作装置の操作を無効にすることを特徴とする請求項１乃至５のうちいずれか１のレンズ制御システム。
【発明の詳細な説明】
【０００１】
【発明の属する技術分野】
本発明はレンズ制御システムに係り、特に操作棒の押し引き操作によって撮影レンズのズームを駆動することができるレンズ制御システムに関する。
【０００２】
【従来の技術】
放送用テレビカメラのレンズ装置（特にＥＦＰレンズ）に配置された各移動レンズ（ズームレンズやフォーカスレンズ等）を制御するレンズ制御システムにおいて、レンズ操作（ズーム操作、フォーカス操作等）を行うための一軸二操作式のレンズ操作装置が知られている。一軸二操作式のレンズ操作装置は、操作棒の押し引き操作でズーム操作を行い、操作棒の回動操作によりフォーカス操作を行うものであり、一般に操作棒に対する操作力が機械的構造によりズームレンズやフォーカスレンズの駆動力として伝達されるようになっている。これに対して、近年では電動によりレンズ制御を行うシステムが使用されるようになり、この場合のレンズ操作装置は、例えばズーム操作に関しては、一般にサムリングと呼ばれる操作リングが設けられ、サムリングを回動操作すると、その回動位置が電気的に検出され、検出された回動位置に応じた速度でサーボ制御によりズームレンズが駆動されるようになっている。
【０００３】
これらのレンズ操作装置にはそれぞれ利点、欠点があり、例えば、一軸二操作式のレンズ操作装置では、操作棒の押し引き位置でズームの設定位置が把握できる等の利点があり、上述のような電動用のレンズ操作装置では、ズーム速度を一定速度に保って移動させることが容易である等の利点がある。
【０００４】
近年では、電動によりレンズ制御を行うシステムが多用されるようになり、それに伴って上述のような電動用のレンズ操作装置が使用されるようになっているが、一軸二操作式のレンズ操作装置を使い慣れたカメラマンにとっては、一軸二操作式によるレンズ操作を好む場合があり、また、上述のような利点もあるため、一軸二操作式のレンズ操作装置を電動用のレンズ操作装置として構成し、操作棒の押し引き操作や回動操作によってズームやフォーカスをサーボ制御により電動で駆動できるようにしたものが提案されている（特開平６−２３０２６６号公報等）。即ち、電動用の一軸二操作式のレンズ操作装置においては、操作棒の押し引き位置や回動位置がポテンショメータ等によって検出され、その検出位置に基づいてズームレンズやフォーカスレンズが駆動される。
【０００５】
また、同じカメラマンがレンズ操作を行う場合であっても、状況によって異なる操作方式のレンズ操作装置を使用したい場合があるため、操作方式が異なる複数の電動用のレンズ操作装置をレンズ装置に接続可能とし、状況に応じて所望のレンズ操作装置の操作を有効なものとして切り替えられるようにしたレンズ制御システムが提案されている。
【０００６】
【発明が解決しようとする課題】
しかしながら、上述のようなレンズ制御システムにおいて一軸二操作式のレンズ操作装置の操作を有効、無効に切り替えられるようにした場合、無効としたときの操作棒は、他の操作の支障となる。また、有効としたときに実際に設定されているズーム位置と操作棒の押し引き位置との対応が一致せず、有効とした瞬間に操作棒の押し引き位置に対応したズーム位置にズームレンズが移動してしまう問題があった。
【０００７】
本発明はこのような事情に鑑みてなされたもので、操作棒の操作を有効又は無効に切り替えた際に、操作棒を適切な位置に移動させることができるレンズ制御システムを提供することを目的とする。
【０００８】
【課題を解決するための手段】
前記目的を達成するために、請求項１に記載の発明は、操作棒の軸方向への押し引き操作により所定の移動レンズを電動により駆動し、前記操作棒の押し引き位置に対応する位置に前記移動レンズを移動させるレンズ制御システムであって、前記移動レンズを駆動する操作として前記操作棒の押し引き操作を有効又は無効に切り替えることができるレンズ制御システムにおいて、前記操作棒を軸方向に移動させる動力を発生させる動力発生手段と、前記操作棒の押し引き操作が有効から無効に切り替えられた際に、前記動力発生手段により前記操作棒を所定の退避位置に移動させる制御手段と、を備えたことを特徴としている。
【０００９】
また、請求項２に記載の発明は、操作棒の軸方向への押し引き操作により所定の移動レンズを電動により駆動し、前記操作棒の押し引き位置に対応する位置に前記移動レンズを移動させるレンズ制御システムであって、前記移動レンズを駆動する操作として前記操作棒の押し引き操作を有効又は無効に切り替えることができるレンズ制御システムにおいて、前記移動レンズの位置を検出する移動レンズ位置検出手段と、前記操作棒の押し引き位置を検出する操作位置検出手段と、前記操作棒を軸方向に移動させる動力を発生させる動力発生手段と、前記操作棒の押し引き操作が無効から有効に切り替えられた際に、前記操作位置検出手段により検出される前記操作棒の押し引き位置が前記移動レンズ位置検出手段により検出される前記移動レンズの位置に対応する位置となるように、前記動力発生手段により前記操作棒を移動させる制御手段と、を備えたことを特徴としている。
【００１０】
また、請求項３に記載の発明は、操作棒の軸方向への押し引き操作により所定の移動レンズを電動により駆動し、前記操作棒の押し引き位置に対応する位置に前記移動レンズを移動させるレンズ制御システムであって、前記移動レンズを駆動する操作として前記操作棒の押し引き操作を有効又は無効に切り替えることができるレンズ制御システムにおいて、前記移動レンズの位置を検出する移動レンズ位置検出手段と、前記操作棒の押し引き位置を検出する操作位置検出手段と、前記操作棒を軸方向に移動させる動力を発生させる動力発生手段と、前記操作棒の押し引き操作が有効から無効に切り替えられた際には、前記動力発生手段により前記操作棒を所定の退避位置に移動させ、前記操作棒の押し引き操作が無効から有効に切り替えられた際には、前記操作位置検出手段により検出される前記操作棒の押し引き位置が前記移動レンズ位置検出手段により検出される前記移動レンズの位置に対応する位置となるように、前記動力発生手段により前記操作棒を移動させる制御手段と、を備えたことを特徴としている。
【００１１】
また、請求項４に記載の発明は、請求項１乃至請求項３に記載の発明のうちいずれか１に記載の発明において、前記移動レンズはズームレンズであることを特徴としている。
【００１２】
また、請求項５に記載の発明は、請求項１乃至請求項４に記載の発明のうちいずれか１に記載の発明において、前記動力発生手段は、モータを動力発生源とすることを特徴としている。
【００１３】
また、請求項６に記載の発明は、請求項１乃至請求項５に記載の発明のうちいずれか１に記載の発明において、前記レンズ制御システムは、同時に接続された複数のレンズ操作装置のうち、前記操作棒を有するレンズ操作装置以外のレンズ操作装置の操作を有効にすると、前記操作棒を有するレンズ操作装置の操作を無効にし、前記操作棒を有するレンズ操作装置の操作を有効にすると前記操作棒を有するレンズ操作装置以外のレンズ操作装置の操作を無効にすることを特徴としている。
【００１４】
本発明によれば、操作棒の操作を有効から無効に切り替えた場合には操作棒を所定の退避位置、例えば、最大押込み位置にモータ等の動力発生手段により移動させるようにし、又は、操作棒の操作を無効から有効に切り替えた場合には、操作対象の移動レンズの設定位置に対応する押し引き位置に操作棒をモータ等の動力発生手段により移動させるようにしたため、操作棒の操作を有効、無効に切り替えた際に操作者の操作にとって適切な位置に操作棒が移動し、操作性の向上が図られる。
【００１５】
【発明の実施の形態】
以下添付図面に従って本発明に係るレンズ制御システムの好ましい実施の形態について詳説する。
【００１６】
図１は、本発明の実施の形態を示すテレビカメラシステムの全体構成図である。同図に示すようにテレビカメラ１０は撮影レンズを搭載したレンズ装置１２とカメラ本体１４とから構成され、レンズ装置１２は、雲台２２に載置されたカメラ本体１４の正面側に装着される。レンズ装置１２の背面側（カメラ本体１４に装着される面）には本発明に係るレンズ操作装置の操作棒１６が設置され、その操作棒１６は、カメラ本体１４に形成された操作棒挿通孔を貫通してカメラ本体１４の背面側から突出するようになっている。カメラマンは、カメラ本体１４のビューファインダ２０に映る映像を見ながら、操作棒１６の指掛部１８を把持して操作棒１６を押し引き操作することでズーム操作を行うことができ、また、指掛部１８を回転操作し、操作棒１６の軸を回転させることでフォーカス操作を行うことができるようになっている。
【００１７】
図２は、本発明に係るレンズ制御システムの構成図である。同図のレンズ操作装置３０において、操作棒１６は、回動自在に軸支された中空軸４０の内部に摺動自在に挿入されている。中空軸４０には長手方向に沿うキー溝孔４０Ａが形成され、操作棒１６の先端に固着されたピン４２がキー溝孔４０Ａに係合される。操作棒１６が回動操作されると、これに連動して中空軸４０が回動する。
【００１８】
また、中空軸４０には移動枠４４が嵌装され、ピン４２の先端は移動枠４４の内周に形成された周方向の溝４４Ａと係合される。移動枠４４の凸部４４Ｂには、プーリ４６Ａ、４６Ｂに巻きかけられたベルト４８の一部が固着される。操作棒１６が押し引き操作されると、これと連動してプーリ４６Ａ、４６Ｂが回動する。
【００１９】
プーリ４６Ａは、ズーム指示用ポテンショメータ５０の回転軸５０Ａに取り付けられており、操作棒１６の押し引き位置に応じたプーリ４６Ａの回転位置がズーム指示用ポテンショメータ５０により検出される。ズーム指示用ポテンショメータ５０から出力された検出信号は制御回路６０に入力される。制御回路６０は、その検出信号を、操作棒１６の押し引き位置に対応したズーム目標位置を示すズーム指示信号として取得する。
【００２０】
一方、プーリ４６Ｂは、モータ５４の回転軸５４Ａに取り付けられており、モータ５４は、制御回路６０から印加される電圧（電流）により所定の大きさ及び向きのトルクをプーリ４６Ｂに発生させる。これにより、ベルト４８等を通じて操作棒１６の軸方向に対して所望の大きさと向きの力を与えることができるようになっている。尚、モータ５４の作用については後述する。
【００２１】
中空軸４０の端部の周面には、フォーカス指示用ポテンショメータ５２の回転軸５２Ａがギアを介して係合されており、操作棒１６の回転位置に応じた中空軸４０の回転位置がフォーカス指示用ポテンショメータ５２により検出される。フォーカス指示用ポテンショメータ５２から出力された検出信号は制御回路６０に入力される。制御回路６０は、その検出信号を操作棒１６の回転位置に対応したフォーカス目標位置を示すフォーカス指示信号として取得する。
【００２２】
また、レンズ操作装置３０には、角度センサ５６が設置されており、この角度センサ５６からの検出信号が制御回路６０に入力されるようになっている。角度センサ５６は、レンズ操作装置３０（操作棒１６）の重力方向に対する傾きを検出するためのもので、図３に示すように重力方向に垂直な面内の方向（水平方向）とレンズ操作装置３０の基準方向（操作棒１６の軸方向）とのなす角θ（以下、傾き角θという）を検出し、その検出した傾き角θを検出信号として制御回路６０に出力する。制御回路６０は、角度センサ５６から取得した傾き角θに基づいて、上記モータ５４のトルクを制御する。尚、傾き角θに基づくモータ５４のトルクの制御については後述する。
【００２３】
以上、レンズ操作装置３０の構成は、図２に示した形態に限らず、操作棒１６の押し引き位置と回動位置を電気的に検出できるものであればどのような構成でもよい。例えば、ポテンショメータ５０、５２に代えてロータリエンコーダを用いることも可能である。また、操作棒１６の軸方向に力を与える手段は上述の構成に限らない。
【００２４】
一方、レンズ装置１２の光学系には、前方から順にフォーカスレンズ７０、バリエータレンズ７２Ａ、コンペンセータレンズ７２Ｂ等が配置される。フォーカスレンズ７０の支持枠７４はリードネジ７６に連結されており、フォーカスモータ７８によってリードネジ７６が回動することにより、フォーカスレンズ７０が光軸Ｐに沿って前後移動する。
【００２５】
バリエータレンズ７２Ａとコンペンセータレンズ７２Ｂは、ズームレンズ７２を構成するレンズであり、各レンズの支持枠に突設されたカムピン７２Ｃ、７２Ｄはカム筒８０のカム溝８０Ａ、８０Ｂにそれぞれ係合されている。ズームモータ８２によってカム筒８０が回動することにより、バリエータレンズ７２Ａとコンペンセータレンズ７２Ｂがカム溝８０Ａ、８０Ｂで規制される位置関係により光軸Ｐに沿って前後移動する。
【００２６】
制御回路６０は、リードネジ７６に設置されたフォーカスポテンショメータ８４によってフォーカスレンズ７０の位置（フォーカス位置）を検出するとともに、カム筒８０に設置されたズームポテンショメータ８６によってズームレンズ７２の位置（ズーム位置）を検出しながら、フォーカスモータ７８とズームモータ８２を駆動し、フォーカスレンズ７０及びズームレンズ７２をサーボ制御する。
【００２７】
すなわち、制御回路６０は、レンズ操作装置３０のフォーカス指示用ポテンショメータ５２から受入したフォーカス指示信号の示すフォーカス目標位置とフォーカスポテンショメータ８４によって検出したフォーカス位置との差分が０となるように、フォーカスモータ７８を駆動制御してフォーカスレンズ７０を移動させる。また、制御回路６０は、レンズ操作装置３０のズーム指示用ポテンショメータ５０から受入したズーム指示信号の示すズーム目標位置とズームポテンショメータ８６によって検出したズーム位置との差分が０となるように、ズームモータ８２を駆動制御してズームレンズ７２を移動させる。
【００２８】
また、本レンズ制御システムでは、同図に示すように制御回路６０に対して上記レンズ操作装置３０とは別（任意の種類）のレンズ操作装置１０２を同時に接続でき、２つ以上のレンズ操作装置を同時に接続することができるようになっている。そして、例えば、切替スイッチ１０４が設けられ、制御回路６０は、切替スイッチ１０４により指定されたレンズ操作装置の操作を有効なものとし、そのレンズ操作装置から与えられたフォーカス指示信号やズーム指示信号等に基づいて、フォーカスレンズ７０、ズームレンズ７２等を上述のように制御する。一方、切替スイッチ１０４により指定されたレンズ操作装置以外のレンズ操作装置の操作は無効とし、無効としたレンズ操作装置からの指示信号に対しては応答しないものとする。
【００２９】
次に、上記レンズ操作装置３０の操作棒１６の軸方向への力を発生させるモータ５４の制御について説明する。制御回路６０は、レンズ操作装置３０の電源オン時において、角度センサ５６から取得した傾き角θに基づいてモータ５４に印加する電圧又は電流を制御し、モータ５４で発生するトルクの大きさと向きを制御する。即ち、モータ５４で発生したトルクは上述のように操作棒１６の軸方向に作用する力となり、そのトルクの大きさと向きを制御することによって操作棒１６の軸方向に作用する力の大きさと向きを制御することができる。そこで、制御回路６０は、角度センサ５６により検出された傾き角θにおいて、重力に起因して操作棒１６の軸方向に作用する力を打ち消すようにモータ５４のトルクの大きさと向きを制御する。これにより、操作棒１６に操作力が与えられていない状態において、操作棒１６がその自重により軸方向にスライドする不具合が防止され、所望の押し引き位置で静止状態を維持させることが可能となる。
【００３０】
また、操作部１６が軸方向に押し引き操作されている場合においても、制御回路６０は、重力に起因して操作棒１６の軸方向に作用する力を打ち消すようにモータ５４のトルクを制御しており、重力による作用が打ち消されることによって、操作棒１６の押込み操作と引出し操作の操作力が傾き角θの大きさにかかわらず一定に保たれる。即ち、操作棒１６が傾いている場合であっても、操作棒１６が水平方向のときと同様の操作力で操作棒１６を押し引き操作することが可能となる。例えば、操作棒１６の指掛部１８側が上向きの状態の場合（図３に示した状態）には、モータ５４による力は操作部１６を引き出す向きに作用しており、この状態において操作棒１６の押込み操作を行う際には、モータ５４による力が押込み操作に対する負荷として作用し、一方、操作棒１６の引出し操作を行う際には、モータ５４による力が引出し操作をアシストする力として作用する。このようにモータ５４により操作棒１６に作用する力の大きさは、傾き角θに応じて操作棒１６の軸方向に作用する重力の大きさに一致しているため、操作棒１６の押し引き操作が重力の影響を受けることなく常に一定の操作力で操作棒１６を押し引き操作することができる。尚、操作棒１６が押し引き操作されているとき、即ち、ズーム指示用ポテンショメータ５０により検出される操作棒１６の押し引き位置が変化しているときには、モータ５４のトルクの発生を停止させるようにしてもよい。
【００３１】
また、レンズ操作装置３０の電源オフ時には、モータ５４の保持トルクが作用し、操作棒１６が自重により軸方向にスライドしないように保持される。例えば、電源がオフされたときには、制御回路６０は、モータ５４の電源入力端子間を抵抗等を介して接続し、モータ５４に電気ブレーキが働くようにし、操作棒１６が軸方向に容易にスライドしないようにしている。
【００３２】
また、上記切替スイッチ１０４によりレンズ操作装置３０が有効から無効又は無効から有効に切り替えられたときに、制御回路６０は、モータ５４を駆動して操作棒１６を自動退避又は自動復帰させる。例えば、レンズ操作装置３０が有効から無効に切り替えられた場合、操作棒１６は他の操作の支障となるため、制御回路６０は、モータ５４を駆動して操作棒１６を所定の退避位置、例えば、中空軸４０内に最も押し込んだ位置まで退避させる。一方、レンズ操作装置３０が無効から有効に切り替えられた場合、この直後では操作棒１６の押し引き位置とズームレンズ７２の実際の設定位置との対応関係が一致していない場合がある。このため、制御回路６０は、ズーム指示用ポテンショメータ５０により検出される操作棒１６の押し引き位置が、ズームポテンショメータ８６により検出されるズームレンズ７２の実際の設定位置に対応する位置となるようにモータ５４を駆動して操作棒１６を移動させ、操作棒１６を本来あるべき押し引き位置に復帰させる。
【００３３】
以上、上記実施の形態では、操作棒１６の押し引き操作に基づいて電動でズームを駆動する場合のレンズ操作装置３０について説明したが、本発明は、操作棒１６の押し引き操作による操作力を機械的にズームレンズに伝達してズームを駆動する場合における手動のレンズ操作装置においても同様に適用できる。また、操作棒１６の押し引き操作によりズーム操作を行う場合に限らず、フォーカス操作等の他のレンズ操作を行う場合においても適用できる。
【００３４】
【発明の効果】
以上説明したように本発明に係るレンズ制御システムによれば、操作棒の操作を有効から無効に切り替えた場合には操作棒を所定の退避位置、例えば、最大押込み位置にモータ等の動力発生手段により移動させるようにし、又は、操作棒の操作を無効から有効に切り替えた場合には、操作対象の移動レンズの設定位置に対応する押し引き位置に操作棒をモータ等の動力発生手段により移動させるようにしたため、操作棒の操作を有効、無効に切り替えた際に操作者の操作にとって適切な位置に操作棒が移動し、操作性の向上が図られる。
【図面の簡単な説明】
【図１】図１は、本発明の実施の形態を示すテレビカメラシステムの全体構成図である。
【図２】図２は、本発明に係るレンズ操作装置が適用されるレンズ制御システムの構成図である。
【図３】図３は、図２における角度センサにより検出される傾き角θを示した図である。
【符号の説明】
１０…テレビカメラ、１２…レンズ装置、１６…操作棒、４０…中空軸、４６Ａ、４６Ｂ…プーリ、４８…ベルト、５０…ズーム指示用ポテンショメータ、５２…フォーカス指示用ポテンショメータ、５４…モータ、５６…角度センサ、６０…制御回路、７０…フォーカスレンズ、７２…ズームレンズ
【図１】
0003774860.tif 000002
【図２】
0003774860.tif 000003
【図３】
0003774860.tif 000004